(57)【要約】【課題】ペンダント型エッジライト式照明装置において、壁際などの小さいスペースに設置でき、発光部を任意の意匠で構成することができ、万一の消灯時に光を失うことがない照明装置を提供する。【解決手段】板状の透明素材若しくは板状の半透明素材を任意の形状で切り抜いた発光部４と、前記発光部４の上端部に配置された光源部１と、光源部１が収納されるケース２とからなり、前記ケース２に発光部４を嵌合すると発光部の凹部４ａ、４ｂがケースの凸部２ａ、２ｂに把持されるものとした。【選択図】図１
2015138689.tif 000002
【特許請求の範囲】
【請求項１】
吊り下げて使うペンダント型の照明装置のうち光源を照明装置の厚み部分に配置し側部から光を入射して拡散反射させ発光面を得るエッジライト式照明装置において、板状の透明素材若しくは板状の半透明素材を任意の形状で切り抜いた発光部と、前記発光部の上端部に配置された光源と、光源が収納されるケースとからなり、前記ケースに発光部を嵌合すると発光部の凹部がケースの凸部に把持され、光源と発光部が一定の間隔で固定されることを特徴とするエッジライト式照明装置。
【請求項２】
前記板状の発光部の平面部には任意の深さで任意のデザインの彫刻がされ、前記光源部が発光すると前記彫刻部で光が拡散反射し、彫刻部分だけが発光し、彫刻部分以外の平面部は発光しないことを特徴とする請求項１記載のエッジライト式照明装置。
【請求項３】
前記発光部の彫刻部には、一定時間光を照射すると蓄光する蓄光材が塗布され、一定時間照射した後に光源を消灯した際に彫刻部のみが蓄光材の作用により発光することを特徴とする請求項１記載のエッジライト式照明装置。
【発明の詳細な説明】
【技術分野】
【０００１】
本発明はエッジライトを用いた照明装置に関する。
【背景技術】
【０００２】
光乱反射部が複数のドット状に形成され、かつ、円周端面側から導光板の中心部に近づくにしたがってそのドット密度が高くなるようなパターンで形成された導光板式エッジライトが提案されている。
【先行技術文献】
【特許文献】
【０００３】
【特許文献１】特開２０１２−１９５３０６号公報
【発明の概要】
【発明が解決しようとする課題】
【０００４】
従来技術のエッジライト式照明装置をペンダント型に吊り下げて部屋の床面を上方から照らす目的で使用する場合には、発光面を下方に向け、発光面が床面と正対するよう平行に設けることになり、吊り下げに要する面積が大きくなり、壁に近づけて設置することができず、複数の照明装置を狭い間隔に並べて設置する際には照明装置が干渉するという課題があり、従来技術のエッジライト式照明装置はペンダント型の吊り下げ照明として使い勝手が良くないという問題があった。また、従来技術では、発光面は均一な光を発する多角形型ものが通例であり、その発光面を下方に向けて設置されるため、設置環境に合わせて意匠的な変化をつけることが難しく、照明装置を正面から見たときの意匠性が単調になるという課題もあった。また、停電や突発的な故障により光源が点灯しなくなった場合には、照明装置が消灯し、室内に他の光源がない場合には光を失い室外への退避が困難となるという課題もあった。
【０００５】
本発明の目的は、吊り下げに要する面積が小さく、壁に近づけて設置することができ、複数の照明装置を狭い間隔に並べて設置することができ、意匠性に優れ、万一の消灯時に光を失うことがないエッジライト式照明装置を提供することにある。
【課題を解決するための手段】
【０００６】
上記目的を達成するため、請求項１に記載の発明は、吊り下げて使うペンダント型の照明装置のうち光源を照明装置の厚み部分に配置し側部から光を入射して拡散反射させ発光面を得るエッジライト式照明装置において、板状の透明素材若しくは板状の半透明素材を任意の形状で切り抜いた発光部と、前記発光部の上端部に配置された光源と、光源が収納されるケースとからなり、前記ケースに発光部を嵌合すると発光部の凹部がケースの凸部に把持され、光源と発光部が一定の間隔で固定される構成とした。
【０００７】
また、請求項２に記載の発明では、板状の発光部の平面部には任意の深さで任意のデザインの彫刻がされ、前記光源部が発光すると前記彫刻部で光が拡散反射し、彫刻部分だけが発光し、彫刻部分以外の平面部は発光しない構成とした。
【０００８】
また、請求項３に記載の発明では、前記発光部の彫刻部には、一定時間光を照射すると蓄光する蓄光材が塗布され、一定時間照射した後に光源を消灯した際に彫刻部のみが蓄光材の作用により発光するものとした。
【発明の効果】
【０００９】
本発明によれば、請求項１のように構成されているため、吊り下げに要する面積が小さくて済み、即ち壁に近づけて設置することができ、複数の照明装置を狭い間隔に並べて設置することが可能となる。
【００１０】
また、請求項２のように構成されているため、彫刻した部分が発光し、空間に合った任意のデザインで照明装置を構成することができる。
【００１１】
また、請求項３のように構成されているため、万一の停電などで光源が発光しない場合でも、彫刻部分が一定時間発光するため、室外退避時の誘導灯として機能し、安全性を損なうことがない。
【図面の簡単な説明】
【００１２】
【図１】本発明の実施形態に係るエッジライト式照明装置の正面図である。
【図２】図１に示すエッジライト式照明装置の側面図である。
【図３】本発明の実施形態に係る光源部周辺の詳細図である。
【図４】本発明の実施形態に係る発光部の詳細図である。
【発明を実施するための形態】
【００１３】
本発明に係るエッジライト式照明装置の構成について、図を用いて説明する。
【００１４】
図１は本発明に係るエッジライト式照明装置の正面図、図２は図１の側面図を示す。１はエッジライトの光源部であり、ＬＥＤ等の小型で高輝度の光源が任意数実装されている。２は照明装置のケースであり、ケース２の内部は図１の破線で示すように内部にスペースが設けられ、光源部１を収納するようになっている。通電ケーブル３は、ケース２の上端部からケース内部に貫通され、光源部１とコネクタ等で連結されて通電するように構成されている。また、通電ケーブル３は、照明装置の重量に十分耐えうる引っ張り強度を保有しており、通電ケーブル３の上部を天井や壁に固定すると、下端に照明装置がぶら下がり、ペンダントライトが形成されるようになっている。４は透明または半透明のアクリル若しくはガラス素材を使用した板状の発光部であり、前記光源部１から照射される光を受けて発光するようになっている。光源部１から照射される光は、発光部４の上端面４ｃから入射され、入射された光は発光部４の内部に万遍なく広がるように光源部１の配置が決定されている。また、発光部４の平面部４ｄには、任意の深さで任意のデザインの彫刻が掘り込まれており、本実施例では、輪っか型の彫刻５と、三日月型の彫刻６が掘り込まれたものを彫刻の一例として示している。
【００１５】
次いで、ケース２と発光部４の連結部の構成について説明する。図３に示すように、ケース２の内部には、ケース２内面の左右方向から、内側に向き合うように突出した凸部２ａ、２ｂが設けられている。図４に示すように、発光部４の上部には、左右端面に切り込まれた凹部４ａ、４ｂが設けられ、凹部４ａ、４ｂは発光部４の端面から内側に向かって切り込まれている。ケース２と発光部４を連結させるには、前記ケース２の上面側から発光部４を下方に移動させ、発光部の凹部４ａ、４ｂをケースの凸部２ａ、２ｂに夫々差し込むように挿入すればよく、挿入すると直ちに凸部２ａ、２ｂと凹部４ａ、４ｂが嵌合され、図１の破線で示すようにケース２と発光部４ががたつくことなく密着し、これにより発光部４は上下、左右方向に拘束され、即ちケース２と連結されることになる。５はケース２に取り付けるフタを示しており、フタ５は図示しないネジ等によりケース２に固定され、ケース２とフタ５には隙間が生じないよう構成されている。前述の通りケース２と発光部４を連結させた後、フタ５を取り付ければ、発光部４の上方への動きも拘束され、発光部４はケース２に対し、上下、左右、前後に拘束され、完全に連結されることになる。尚、発光部４はケース２に連結された際、光源部１と一定の距離を置いて固定されるように寸法が決定されており、この距離は光源部１から発する光が発光部４の内部に万遍なく行き渡るよう考慮され決定されている。
【００１６】
また、前記彫刻部５、６には、蓄光材が塗布されており、光源部の光を一定時間照射すると蓄光材に光が蓄えられ、消灯した際に蓄光材が一定時間発光するようになっている。前記彫刻部５、６は、図１における平面部４ｄの正面側若しくは背面側のどちらか一方に掘り込まれているが、デザインによっては、正面と背面の両側に堀り分けてもよく、蓄光材は全ての彫刻部に塗布するか、もしくはその一部に塗布してもよい。尚、周囲に他の誘導灯がある場合や、デザイン的に蓄光材が不適とされる場合には、必ずしもこれを塗布する必要はなく、必要に応じて塗布すればよい。
【００１７】
本実施例における照明装置を点灯させた場合は、平面部４ｄへの彫刻の面積が多いほど、拡散反射する光の量が増えることになる。即ち彫刻部を増やすと図１における正背面側への光の拡散量が増加するため、正背面の輝度を高めるには、彫刻部を多くすればよく、正背面の輝度を低くするには彫刻部を少なくすればよい。
【００１８】
本実施例では電球形状の発光部４について述べたが、形状は任意に決定すればよい。但し、前述の通りケース２との嵌合部の形状、寸法は共通のものとすることが望ましく、これにより発光部４を任意のデザインとしても、ケース２は全て共通のものを使用することができる。また本実施例では、前記ケースの凸部２ａ、２ｂと発光部の凹部４ａ、４ｂを、四角型の形状としたが、ケース２と発光部４が隙間なく嵌合するよう配慮すれば任意の凸部形状および任意の凹部形状としても差し支えない。
【００１９】
また発光部の上端面を除く端面４ｆに対しても、平面部４ｄと同様に彫刻をすれば、彫刻をした部分が発光することになり、平面部４ｄと同様の効果が得られる。蓄光材についても平面部４ｄと同様、上端面を除く端面４ｆの彫刻に塗布すれば、消灯後に一定時間発光することになる。
【００２０】
上述のように構成した本発明では、照明装置の吊り下げに要する面積が小さくて済み、即ち壁に近づけて照明装置を設置することができ、複数の照明装置を狭い間隔に並べて設置することが可能となる。また、彫刻した部分が発光し、彫刻は任意のデザインで行うことができる構成であるため、空間に合った任意のデザインで照明装置を構成することができ、彫刻部の面積を調節すれば、正背面への輝度を調節することもできる。更に、万一の停電などで光源部１が発光しない場合でも、蓄光材の作用により一定時間発光するため、室外退避時の誘導灯として機能し、安全性を損なうことがない。
【産業上の利用可能性】
【００２１】
本発明は、飲食店やホテル等の商業施設の照明や、一般住宅照明等に活用でき、天井吊り下げや壁面への設置など幅広く活用することができる。
【符号の説明】
【００２２】
１  光源部
２  ケース
２ａ、２ｂ  凸部
３  通電ケーブル
４  発光部
４ａ、４ｂ  凹部
４ｃ  上端面
４ｄ  平面部
４ｆ  上端面を除く端面
５、６  彫刻部
【図１】
2015138689.tif 000003
【図２】
2015138689.tif 000004
【図３】
2015138689.tif 000005
【図４】
2015138689.tif 000006